(57)【要約】【課題】  合成後のプログレシブ映像をＰＩ変換し、インターレース信号を生成した時、合成した子画面の領域は、フィールド毎に奇数ラインのみから構成された子画面、偶数ラインのみから構成された子画面が表示される場合、奇数ラインと偶数ラインの色相の差がフリッカとして見えるという問題があった。【解決手段】  入力されたプログレシブ映像信号の複数ラインの色信号を一時記憶し、奇数ラインの色信号と偶数ラインの色信号とを混合した後、他のプログレシブ映像信号と合成し、合成後のプログレシブ映像をＰＩ変換し、インターレース信号を出力する構成とした。【選択図】    図１
2005328298.tif 000002
【特許請求の範囲】
【請求項１】
入力された第１のインターレース映像信号を走査線補間により第１のプログレシブ映像信号に変換して出力するＩＰ(Interlace Progressive)変換手段と、
前記第１のプログレシブ映像信号と、入力された第２のプログレシブ映像信号とを合成し、第３のプログレシブ映像信号として出力する合成手段と、
前記第３のプログレシブ映像信号を第２のインターレース映像信号に変換して出力するＰＩ(Progressive Interlace)変換手段と、を有し、
前記第３のプログレシブ映像信号と、前記第２のインターレース映像信号とをともに出力する映像信号処理装置において、
映像信号のうち、色信号と輝度信号のいずれかの一方を混合対象信号として指定する制御手段と、
前記入力された第２のプログレシブ映像信号のうち、前記混合対象信号として指定された一方の映像信号を複数ライン分一時記憶する複数の第１のラインメモリと、
前記入力された第２のプログレシブ映像信号のうち、前記混合対象信号として指定されなかった他方の映像信号を１ライン分一時記憶する第２のラインメモリと、
前記複数の第１のラインメモリに一時記憶された奇数ラインの映像信号と偶数ラインの映像信号を混合し、混合信号を出力する混合手段と、を備え、
前記合成手段は、前記出力された混合信号、及び第２のラインメモリに一時記憶した映像信号を前記第２のプログレシブ映像信号として、前記第１のプログレシブ映像信号と合成する、
ことを特徴とする映像信号処理装置。
【請求項２】
請求項１に記載の映像信号処理装置において、
前記混合手段は、
前記複数の第１のラインメモリより入力される複数ラインの映像信号を切り替える信号切替手段と、
前記信号切替手段により切替えられた複数ラインの映像信号を入力とし、それぞれに対して演算を行う複数の演算器と、
前記複数の演算器からの出力を加算する加算手段と、を備えた、
ことを特徴とする映像信号処理装置。
【請求項３】
請求項１に記載の映像信号処理装置において、
前記制御手段は、前記第２のプログレシブ映像信号が、ＰＡＬ方式のインターレース映像信号よりＩＰ変換されたプログレシブ映像信号の場合、色信号を混合対象信号として指定し、前記第２のプログレシブ映像信号が、ＯＳＤ(On Screen Display)データまたは文字データの信号の場合、輝度信号を混合対象信号として指定する、
ことを特徴とする映像信号処理装置。
【発明の詳細な説明】
【技術分野】
【０００１】
本発明は、プログレシブ方式の映像信号と、インターレース方式の映像信号とを同時に出力する映像信号処理装置に関するものである。
【背景技術】
【０００２】
従来、２つのプログレシブ方式の映像信号を合成した後に、プログレシブ方式の映像信号とインターレース方式の映像信号とを同時に出力する装置として、図５に示すような映像信号処理装置が知られている。
【０００３】
図５において、１０１、１０２は入力端子、１０３はＩＰ（インターレース  プログレシブ）変換部、１０４は合成部、１０５はＰＩ（プログレシブ  インターレース）変換部、１０６、１０７は出力端子である。なお、入力端子１０１はインターレース方式のインターレース映像信号Ｓ１０１を、入力端子１０２はプログレシブ映像信号Ｓ１０２を入力する。
【０００４】
ＩＰ変換部１０３は、入力端子１０１からのインターレース映像信号Ｓ１０１を走査線補間によってプログレシブ映像信号Ｓ１０３に変換して出力する。さらに、ＩＰ変換部１０３は、その内部にある識別部によって、出力するプログレシブ映像信号Ｓ１０３が、インターレース映像信号Ｓ１０１の奇数フィールドに対して走査線補間を行ったものか偶数フィールドに対して走査線補間を行ったものかを識別し、そのどちらのフィールドかを示す偶奇フィールド識別信号Ｓ１０４をＰＩ変換部１０５に出力する。
【０００５】
合成部１０４は、ＩＰ変換部１０３から出力されるプログレシブ方式のプログレシブ映像信号Ｓ１０３と、入力端子１０２からのプログレシブ映像信号Ｓ１０２とを合成し、プログレシブ方式の合成映像信号Ｓ１０５を出力する。
【０００６】
ＰＩ変換部１０５は、ＩＰ変換部１０３から入力する偶奇フィールド識別信号Ｓ１０４にもとづいて、合成部１０４からのプログレシブ方式の合成映像信号Ｓ１０５をインターレース方式のインターレース映像信号Ｓ１０６に変換する。
【０００７】
出力端子１０６は、合成部１０４からのプログレシブ方式の合成映像信号Ｓ１０５を出力する。
出力端子１０７は、ＰＩ変換部１０５からのインターレース映像信号Ｓ１０６を出力する。
【０００８】
次に、上記のように構成された従来の映像信号処理装置の動作について説明する。
入力端子１０１から入力されたインターレース方式のインターレース映像信号Ｓ１０１は、ＩＰ変換部１０３における走査線補間によってプログレシブ方式のプログレシブ映像信号Ｓ１０３に変換される（後述で詳細を説明する）。そして、合成部１０４は、プログレシブ映像信号Ｓ１０３と入力端子１０２からのプログレシブ映像信号Ｓ１０２とを合成して合成映像信号Ｓ１０５を出力する。合成部１０４からの合成映像信号Ｓ１０５は、出力端子１０６から出力される。また、合成部１０４からのプログレシブ方式の合成映像信号Ｓ１０５は、ＰＩ変換部１０５においてインターレース方式のインターレース映像信号Ｓ１０６に変換され（後述で詳細を説明する）、出力端子１０７から出力される。
【０００９】
次に、ＩＰ変換部１０３の具体的な動作を説明する。
図６は、インターレース映像信号Ｓ１０１からプログレシブ映像信号Ｓ１０３への変換の一例を説明するための図である。
【００１０】
図６（ａ）は、ＩＰ変換部１０３に入力されるインターレース映像信号Ｓ１０１が奇数フィールドの場合の変換例を説明するための図である。図６（ｂ）は、ＩＰ変換部１０３に入力されるインターレース映像信号Ｓ１０１が偶数フィールドの場合の変換例を説明するための図である。
【００１１】
図６（ａ）に示すように、入力されるインターレース映像信号Ｓ１０１が奇数フィールドの場合、ＩＰ変換部１０３は、プログレシブ映像信号Ｓ１０３の奇数ラインの走査線としてインターレース映像信号Ｓ１０１を出力する。その際、ＩＰ変換部１０３は、入力されるインターレース映像信号Ｓ１０１の２倍の速さで、プログレシブ映像信号Ｓ１０３の奇数ラインの走査線としてインターレース映像信号Ｓ１０１を出力する。また、プログレシブ映像信号Ｓ１０３の偶数ラインの走査線としてインターレース映像信号Ｓ１０１の前後のラインの走査線から補間して出力する。さらに、ＩＰ変換部１０３は、この場合、Ｌレベルの偶奇フィールド識別信号Ｓ１０４を出力する。
【００１２】
一方、図６（ｂ）に示すように、入力されるインターレース映像信号Ｓ１０１が偶数フィールドの場合、ＩＰ変換部１０３は、プログレシブ映像信号Ｓ１０３の偶数ラインの走査線としてインターレース映像信号Ｓ１０１を出力する。その際、ＩＰ変換部１０３は、入力されるインターレース映像信号Ｓ１０１の２倍の速さで、プログレシブ映像信号Ｓ１０３の偶数ラインの走査線としてインターレース映像信号Ｓ１０１を出力する。また、プログレシブ映像信号Ｓ１０３の奇数ラインの走査線としてインターレース映像信号Ｓ１０１の前後のラインの走査線から補間して出力する。さらに、ＩＰ変換部１０３は、この場合、Ｈレベルの偶奇フィールド識別信号Ｓ１０４を出力する。
【００１３】
次に、ＰＩ変換部１０５の具体的な動作を説明する。
図７は、プログレシブ方式の合成映像信号Ｓ１０５からインターレース方式のインターレース映像信号Ｓ１０６への変換例を説明するための図である。
【００１４】
図７（ａ）は、ＰＩ変換部１０５に入力される偶奇フィールド識別信号Ｓ１０４がＬレベルの場合の変換例を説明するための図である。図７（ｂ）は、ＰＩ変換部１０５に入力される偶奇フィールド識別信号Ｓ１０４がＨレベルの場合の変換例を説明するための図である。
【００１５】
図７（ａ）に示すように、偶奇フィールド識別信号Ｓ１０４がＬレベルの場合、ＰＩ変換部１０５は、インターレース方式のインターレース映像信号Ｓ１０６として、入力されるプログレシブ方式の合成映像信号Ｓ１０５の奇数ラインの走査線を出力し、偶数ラインの走査線は出力しない。また、上記奇数ラインの走査線の出力は、ＰＩ変換部１０５に入力される合成映像信号Ｓ１０５の１／２倍の速さで出力する。
【００１６】
図７（ｂ）に示すように、偶奇フィールド識別信号Ｓ１０４がＨレベルの場合、ＰＩ変換部１０５は、インターレース方式のインターレース映像信号Ｓ１０６として、入力されるプログレシブ方式の合成映像信号Ｓ１０５の偶数ラインの走査線を出力し、奇数ラインの走査線は出力しない。また、上記偶数ラインの走査線の出力は、ＰＩ変換部１０５に入力される合成映像信号Ｓ１０５の１／２倍の速さで出力する。
【００１７】
このように、偶奇フィールド識別信号Ｓ１０４のＬまたはＨレベルに応じて、プログレシブ方式の合成映像信号Ｓ１０５におけるそれぞれ偶数または奇数ラインを間引くことによって、ＰＩ変換部１０５から出力されるインターレース映像信号Ｓ１０６は、入力端子１０１に入力されるインターレース映像信号Ｓ１０１と同等の信号になる。
【特許文献１】特開２００３−３４８４４６号公報（第６−８頁、第１図）
【発明の開示】
【発明が解決しようとする課題】
【００１８】
しかしながら、上述の従来技術では、２つのプログレシブ映像信号を合成し、ＰＩ変換してプログレシブ映像信号とインターレース映像信号の両者をともに出力する際に、例えばプログレシブ方式が６２５Ｐの方式であり、合成する他方のプログレシブ映像信号が、入力されたＰＡＬ方式のアナログインターレース映像信号をＹＣ分離した後、ディジタルコンポーネント信号化し、縦１／２、横１／２に縮小したプログレシブ映像信号の子画面であり、前記プログレシブ映像信号の子画面を前記ＰＡＬ方式のインターレース映像信号をＩＰ変換して作成するに当たり、水平方向はフィルタリングにより１／２に縮小し、縦方向はプログレシブ映像のラインの走査線のタイミングで合成することにより縦に１／２縮小を行う場合、合成後のプログレシブ映像をＰＩ変換してインターレース信号を生成した時、合成した子画面の領域は、フィールドの奇数フィールド、偶数フィールド毎に奇数ラインのみから構成された子画面、偶数ラインのみから構成された子画面が表示されることとなり、奇数ラインと偶数ラインの色相の差がフリッカとして見えるという問題があった。
【００１９】
また、前記合成する他方のプログレシブ映像信号がＯＳＤデータや文字データの場合もフリッカが発生するという問題があった。
【００２０】
本発明は、上記のような従来の問題を解決するためになされたもので、プログレシブ方式の映像信号と、ＰＡＬ方式のインターレース映像信号より変換されたプログレシブ方式の映像信号の子画面とを合成し、合成後のプログレシブ方式の映像信号から再変換されたインターレース方式の映像信号を出力する際、インターレース方式の映像にフリッカの発生を抑えることのできる、映像信号処理装置を提供することを目的とする。
【００２１】
また、本発明は、プログレシブ方式の映像信号と、ＯＳＤデータや文字データとを合成し、合成後のプログレシブ方式の映像信号から再変換されたインターレース方式の映像信号を出力する際、インターレース方式の映像にフリッカの発生を抑えることのできる、映像信号処理装置を提供することを目的とする。
【課題を解決するための手段】
【００２２】
上記の課題を解決するために、本発明の請求項１に記載の映像信号処理装置は、入力された第１のインターレース映像信号を走査線補間により第１のプログレシブ映像信号に変換して出力するＩＰ(Interlace Progressive)変換手段と、前記第１のプログレシブ映像信号と、入力された第２のプログレシブ映像信号とを合成し、第３のプログレシブ映像信号として出力する合成手段と、前記第３のプログレシブ映像信号を第２のインターレース映像信号に変換して出力するＰＩ(Progressive Interlace)変換手段と、を有し、前記第３のプログレシブ映像信号と、前記第２のインターレース映像信号とをともに出力する映像信号処理装置において、映像信号のうち、色信号と輝度信号のいずれかの一方を混合対象信号として指定する制御手段と、前記入力された第２のプログレシブ映像信号のうち、前記混合対象信号として指定された一方の映像信号を複数ライン分一時記憶する複数の第１のラインメモリと、前記入力された第２のプログレシブ映像信号のうち、前記混合対象信号として指定されなかった他方の映像信号を１ライン分一時記憶する第２のラインメモリと、前記複数の第１のラインメモリに一時記憶された奇数ラインの映像信号と偶数ラインの映像信号を混合し、混合信号を出力する混合手段と、を備え、前記合成手段は、前記出力された混合信号、及び第２のラインメモリに一時記憶した映像信号を前記第２のプログレシブ映像信号として、前記第１のプログレシブ映像信号と合成することを特徴とするものである。
【００２３】
これにより、２つのプログレシブ映像信号より合成された新たなプログレシブ映像信号を、インターレース映像信号に変換し、該インターレース映像信号を出力する際、映像にフリッカの発生を抑えることができる。なお、第２のプログレシブ映像信号の色信号か又は輝度信号のいずれかを制御して混合対象信号とすることができるので、本装置では、前記第２のプログレシブ映像信号が異なる形式の信号であっても、同様に、出力されるインターレースの映像にフリッカの発生を抑えることができるという効果が得られる。
【００２４】
本発明の請求項２に記載の映像信号処理装置は、請求項１に記載の映像信号処理装置において、前記混合手段は、前記複数の第１のラインメモリより入力される複数ラインの映像信号を切り替える信号切替手段と、前記信号切替手段により切替えられた複数ラインの映像信号を入力とし、それぞれに対して演算を行う複数の演算器と、前記複数の演算器からの出力を加算する加算手段とを備えたことを特徴とするものである。
【００２５】
これにより、複数ラインの映像信号を切替えてそれぞれの演算器に入力するようにしたので、次のラインの混合信号を求める際、ラインメモリに対する書き込み、読み出しのアクセスを削減することができる。
【００２６】
本発明の請求項３に記載の映像信号処理装置は、請求項１に記載の映像信号処理装置において、前記制御手段は、前記第２のプログレシブ映像信号が、ＰＡＬ方式のインターレース映像信号よりＩＰ変換されたプログレシブ映像信号の場合、色信号を混合対象信号として指定し、前記第２のプログレシブ映像信号が、ＯＳＤ(On Screen Display)データまたは文字データの信号の場合、輝度信号を混合対象信号として指定することを特徴とするものである。
【００２７】
これにより、前記第２のプログレシブ映像信号が、ＰＡＬインターレース方式の映像信号よりＩＰ変換され、かつ縦横１／２縮小された子画面の場合、前記第２のプログレシブ映像信号の色信号を混合してから他のプログレシブ映像信号と合成し、合成後の新たなプログレシブ映像信号を、インターレース方式の映像信号に再変換して出力する時、映像にフリッカの発生を抑えることができる。
【００２８】
また、前記第２のプログレシブ映像信号がＯＳＤデータや文字データの場合、該第２のプログレシブ映像信号の輝度信号を混合してから他のプログレシブ映像信号と合成し、合成後の新たなプログレシブ映像信号を、インターレース方式の映像信号に再変換して出力する時、映像にフリッカの発生を抑えることができる。
【発明の効果】
【００２９】
本発明にかかる映像信号処理装置は、インターレース方式の映像信号をプログレシブ方式の映像信号に変換した後に、他のプログレシブ映像信号と合成するに際し、他のプログレシブ映像信号がＰＡＬ方式のアナログインターレース映像信号をＹＣ分離した後、ディジタルコンポーネント信号化し、縦１／２、横１／２に縮小したプログレシブ映像信号の子画面である場合に、合成する前記他のプログレシブ映像信号の色信号を混合するようにしたので、合成後のプログレシブ方式の映像信号をインターレース方式の映像信号に再変換して出力するとき、映像にフリッカの発生を抑えることが出来るという効果が得られる。
【００３０】
また、合成する前記他のプログレシブ映像信号がＯＳＤデータや文字データの場合においても、該合成する前記他のプログレシブ映像信号の輝度信号を混合するようにしたので、出力されるインターレース映像信号の映像にフリッカの発生を抑えることができるという効果が得られる。
【００３１】
また、前記合成する他のプログレシブ映像信号を一時記録するラインメモリに記憶する信号の輝度信号か又は色信号のいずれかを混合対象信号とする制御を行うことにより、上記２つの効果を適応的に利用することが出来る。
【発明を実施するための最良の形態】
【００３２】
以下、本発明の実施形態について、図面を参照しながら説明する。
【００３３】
（実施の形態１）
図１は、本発明実施の形態１による映像信号処理装置の構成を示す図である。
【００３４】
図１において、本実施の形態１による映像信号処理装置は、入力端子１、２と、ＩＰ変換部３と、合成部４と、ＰＩ変換部５と、出力端子６、７と、フィルタ部８とにより構成されている。入力端子１は、ＰＡＬ方式のインターレース映像信号Ｓ１を入力し、入力端子２は、６２５Ｐプログレシブ方式のプログレシブ映像信号Ｓ２を入力するものである。
【００３５】
また、ＩＰ変換部３は、入力端子１からのインターレース映像信号Ｓ１を走査線補間によって６２５Ｐプログレシブ方式のプログレシブ映像信号Ｓ３に変換して出力する。さらに、ＩＰ変換部３は、その内部にある識別部によって、出力するプログレシブ映像信号Ｓ３が、インターレース映像信号Ｓ１の奇数フィールドに対して走査線補間を行ったものか偶数フィールドに対して走査線補間を行ったものかを識別し、そのどちらのフィールドかを示す偶奇フィールド識別信号Ｓ４をＰＩ変換部５に出力する。
【００３６】
フィルタ部８は、入力された６２５Ｐプログレシブ方式のプログレシブ映像信号Ｓ２の複数ラインの色信号を混合した後、プログレシブ映像信号Ｓ７を出力する。
【００３７】
合成部４は、ＩＰ変換部３から出力されるプログレシブ方式のプログレシブ映像信号Ｓ３とフィルタ部８からのプログレシブ映像信号Ｓ７とを合成し、プログレシブ方式の合成映像信号Ｓ５を出力する。
【００３８】
ＰＩ変換部５は、ＩＰ変換部３から入力する偶奇フィールド識別信号Ｓ４にもとづいて、合成部４からのプログレシブ方式の合成映像信号Ｓ５をインターレース方式のインターレース映像信号Ｓ６に変換する。
【００３９】
出力端子６は、合成部４からのプログレシブ方式の合成映像信号Ｓ５を出力する。
出力端子７は、ＰＩ変換部５からのインターレース映像信号Ｓ６を出力する。
【００４０】
以下、実施例１をもって、上記のように構成された本実施の形態１による映像信号処理装置の具体的な動作について説明する。
【実施例１】
【００４１】
入力端子１から入力されたインターレース方式のインターレース映像信号Ｓ１は、ＩＰ変換部３における走査線補間によってプログレシブ方式のプログレシブ映像信号Ｓ３に変換される（詳細は背景技術で記載しておりここでは割愛する）。ここには図示していないが外部のフィールドメモリー等より入力端子２を通して入力された６２５Ｐプログレシブ方式のプログレシブ映像信号Ｓ２は、フィルタ部８に入力され、６２５Ｐプログレシブ方式のプログレシブ映像信号Ｓ２の奇数ラインと偶数ラインを混合してプログレシブ映像信号Ｓ７として出力される。
【００４２】
以下にフィルタ部８の動作を、色信号の混合を例に、図２を用いて説明する。
図２において、１０はフィールドメモリ部、１１〜１４はラインメモリ、１５はフィルタ演算部、１６は信号制御部である。
【００４３】
フィールドメモリ部１０より出力された６２５Ｐプログレシブ方式のプログレシブ映像信号Ｓ２は、フィルタ部８へ入力され、その色信号のＮ−１ライン目のデータはラインメモリ１１へ一時記憶され、Ｎライン目のデータはラインメモリ１２へ一時記憶され、Ｎ＋１ライン目のデータはラインメモリ１３へ一時記憶される。また、Ｎライン目の輝度信号はラインメモリ１４へ一時記録される。ラインメモリ１１、ラインメモリ１２、ラインメモリ１３より読み出された色信号はフィルタ演算部１５へ入力され、フィルタ演算によりその奇数ラインの色信号と偶数ラインの色信号の混合処理を行い出力される。
【００４４】
フィルタ演算部１５の動作を、図３の演算処理例と図４のブロック図を用いて説明する。
図３にフィルタ演算の一例を示す。ここでは、図３に示すように１−２−１のフィルター処理を例に説明する。
【００４５】
図４において、２０は信号切替え部、２１は１／４演算部、２２は１／２演算部、２３は１／４演算部、２４は加算部である。
【００４６】
ラインメモリ１１より読み出され、フィルタ演算部１５に入力されたＮ−１ライン目の色信号Ｓ２０は、信号切替え部２０へ入力される。同様にラインメモリ１２より読み出され、フィルタ演算部１５に入力されたＮライン目の色信号Ｓ２１、及びラインメモリ１３より読み出され、フィルタ演算部１５に入力されたＮ＋１ライン目の色信号Ｓ２２も、信号切替え部２０へ入力される。Ｎライン目の色信号を混合処理して出力する場合、切替え信号Ｓ２３に応じて、信号切替え部２０より出力されたＮ−１ライン目の色信号Ｓ２４は、１／４演算部２１で１／４された後、加算部２４へ入力され、信号切替え部２０より出力されたＮライン目の色信号Ｓ２５は、１／２演算部２２で１／２された後、加算部２４へ入力され、信号切替え部２０より出力されたＮ＋１ライン目の色信号Ｓ２６は、１／４演算部２３で１／４された後、加算部２４へ入力される。加算部２４では入力された各色信号を加算し合成部４へ出力する。この時、同時に輝度信号もラインメモリ１４を読み出され、合成部４へ出力される。
【００４７】
次にＮ＋１ライン目を混合処理して出力する場合、Ｎ＋２ライン目の色信号をラインメモリ１１へ一時記憶し、Ｎ＋１ライン目の輝度信号をラインメモリ１４に一時記憶する。ラインメモリ１１より読み出され、フィルタ演算部１５に入力されたＮ＋２ライン目の色信号Ｓ２０は、信号切替え部２０へ入力される。同様にラインメモリ１２より読み出され、フィルタ演算部１５に入力されたＮライン目の色信号Ｓ２１は、信号切替え部２０へ入力され、ラインメモリ１３より読み出され、フィルタ演算部１５に入力されたＮ＋１ライン目の色信号Ｓ２２は、信号切替え部２０へ入力される。Ｎ＋１ライン目の色信号を混合処理して出力する場合、切替え信号Ｓ２３に応じて、信号切替え部２０より出力されたＮ＋２ライン目の色信号Ｓ２６は、１／４演算部２３で１／４された後、加算部２４へ入力され、信号切替え部２０より出力されたＮライン目の色信号Ｓ２４は、１／４演算部２３で１／４された後、加算部２４へ入力され、信号切替え部２０より出力されたＮ＋１ライン目の色信号Ｓ２５は、１／２演算部２２で１／２された後、加算部２４へ入力される。加算部２４では入力された各色信号を加算し合成部４へ出力する。この時、同時に輝度信号もラインメモリ１４を読み出され、合成部４へ出力される。
【００４８】
以後順次、色信号と輝度信号をフィールドメモリ部１０よりラインメモリに一時記憶し、フィルタ演算部１５により、混合処理するラインの色信号を１／２し、その前後のラインの色信号をそれぞれ１／４して加算し、合成部４へ出力する。
【００４９】
また、色信号と同様に輝度信号を混合処理する場合は、信号制御部１６からの制御により、フィールドメモリ部１０より読み出した輝度信号をラインメモリ１１、ラインメモリ１２、ラインメモリ１３に一時記憶し、色信号をラインメモリ１４に一時記憶して、色信号と同様に輝度信号の混合処理を行うことができる（混合処理の詳細は色信号と同様なので省略する。）
【００５０】
フィルタ部８より出力された６２５Ｐプログレシブ方式のプログレシブ映像Ｓ７は、合成部４へ入力される。
【００５１】
合成部４は、ＩＰ変換部３から出力されるプログレシブ方式のプログレシブ映像信号Ｓ３とフィルタ部８からのプログレシブ映像信号Ｓ７とを合成し、プログレシブ方式の合成映像信号Ｓ５を出力する。
【００５２】
ＰＩ変換部５は、ＩＰ変換部３から入力する偶奇フィールド識別信号Ｓ４にもとづいて、合成部４からのプログレシブ方式の合成映像信号Ｓ５をインターレース方式のインターレース映像信号Ｓ６に変換する（詳細は背景技術で記載しておりここでは割愛する）。
【００５３】
なお、上述では、混合処理として３ラインのデータを用いた回路を例として述べたが、本発明は３ラインの混合処理に限定するものではない。
【００５４】
このように、本発明の実施の形態１による映像信号処理装置では、従来の構成に、入力されるプログレシブ方式の映像信号Ｓ２の色信号を混合するフィルタ部８を追加し、前記プログレシブ方式の映像信号Ｓ２が、ＰＡＬ方式のインターレース映像信号より変換され、縦横１／２に縮小したプログレシブ方式の子画面映像信号の場合、該プログレシブ方式の映像信号Ｓ２の色信号を混合した後のプログレシブ方式の映像信号Ｓ７と、他のプログレシブ方式の映像信号Ｓ３を合成し、合成後のプログレシブ方式の映像信号Ｓ５をインターレース方式のインターレース映像信号Ｓ６に再変換するようにしたので、出力されるインターレース映像にフリッカの発生を抑えることができる。
【００５５】
また、入力されるプログレシブ方式の映像信号Ｓ２がＯＳＤデータや文字データの場合においても、制御手段によりフィルタ部８において色信号の代わりに輝度信号を混合するよう制御することにより、同様に、再変換されて出力されるインターレース映像にフリッカの発生を抑えることができる。
【産業上の利用可能性】
【００５６】
本発明にかかる映像信号処理装置は、プログレシブ映像信号から変換されたインターレース映像信号を出力する場合、インターレース映像にフリッカの発生を抑えることができるという効果を有し、フリッカ低減装置等として有用である。
【図面の簡単な説明】
【００５７】
【図１】本発明の実施形態１に係る映像信号処理装置の構成を示すブロック図である。
【図２】本発明の実施形態１に係るフィルタ部の構成を示すブロック図である。
【図３】本発明の実施形態１に係る信号の混合処理の一例を説明する図である。
【図４】本発明の実施形態１に係るフィルタ演算部の構成を示すブロック図である。
【図５】従来の映像信号処理装置の構成例を示す図である。
【図６（ａ）】従来の映像信号処理装置のＩＰ変換部における、奇数フィールド映像のＩＰ変換例を説明する図である。
【図６（ｂ）】従来の映像信号処理装置のＩＰ変換部における、偶数フィールド映像のＩＰ変換例を説明する図である。
【図７（ａ）】従来の映像信号処理装置のＰＩ変換部における、奇数フィールド映像のＰＩ変換例を説明する図である。
【図７（ｂ）】従来の映像信号処理装置のＰＩ変換部における、偶数フィールド映像のＰＩ変換例を説明する図である。
【符号の説明】
【００５８】
１、２、１０１、１０２  入力端子
３、１０３  ＩＰ変換部
４、１０４  合成部
５、１０５  ＰＩ変換部
６、７  出力端子
８  フィルタ部
１５  フィルタ演算部
１８  信号制御部
２０  信号切替部
２１、２２、２３  演算部
２４  加算部
【図１】
2005328298.tif 000003
【図２】
2005328298.tif 000004
【図３】
2005328298.tif 000005
【図４】
2005328298.tif 000006
【図５】
2005328298.tif 000007
【図６（ａ）】
2005328298.tif 000008
【図６（ｂ）】
2005328298.tif 000009
【図７（ａ）】
2005328298.tif 000010
【図７（ｂ）】
2005328298.tif 000011